(57)【要約】 【課題】構成が簡素で、且つ、作業員による現場での確認作業を俟たずに開放した系統保護用遮断器を確実に識別可能な警報システムを提供する。【解決手段】各個の保護用装置を特定する保護用装置識別パルスと当該保護用装置の状態を表す状態特定パルスとを含むパルス列信号（図２）を発信するパルス列信号発信手段１４−１〜１４−３を複数の各保護用装置１２−１〜１２−３に備え、パルス列信号発信手段１４−１〜１４−３からのパルス列信号を単一のパルス伝送路１３を通して警報集約装置１５に伝送する。警報集約装置１５では、受信したパルス列信号に基づいて警報を発した保護用装置を特定し、且つ、警報の種別を識別して作業員に報知する。【選択図】  図１
2011259604.tif 000002
【特許請求の範囲】
【請求項１】
各個の保護用装置を特定する保護用装置識別パルスと当該保護用装置の状態を表す状態特定パルスとを含むパルス列信号を発信するパルス列信号発信手段を備えた複数の保護用装置と、前記パルス列信号発信手段からのパルス列信号を受信して該受信したパルス列信号を発信した保護用装置を特定し且つ該保護用装置の状態を識別する警報集約装置と、前記複数の保護用装置における各パルス列信号発信手段から発せられるパルス列信号を前記警報集約装置に伝送する単一のパルス伝送路と、を含んで構成されていることを特徴とする警報システム。
【請求項２】
前記複数の保護用装置における各パルス列信号発信手段は、自装置を特定するＩＤ番号を表す保護用装置識別パルスとしての第１パルス列と、前記状態特定パルスの一部を構成して該当する警報の種別を表す第２パルス列と、前記状態特定パルスの他部を構成して自装置の現在の状態を表す第３パルス列と、自装置の状態の履歴を表す第４パルス列と、自装置に係る温度を表す第５パルス列とを含む前記パルス列信号を発信するように構成されていることを特徴とする請求項１に記載の警報システム。
【請求項３】
前記複数の保護用装置における各パルス列信号発信手段は、前記保護用装置識別パルスを電気的接点の開閉によって生成する接点パルス生成手段を備えていることを特徴とする請求項１または２に記載の警報システム。
【発明の詳細な説明】
【技術分野】
【０００１】
本発明は、給電系統における遮断器、限流器、地絡警報器、漏電警報機等のような系統や負荷の保護用装置から発せられる警報を伝達する警報システムに関する。
【背景技術】
【０００２】
一般的に、商用電源の交流電流を直流電流に変換する整流装置等の電流供給装置から出力された直流電流を例えば電子機器等の複数の負荷に供給するために、電流供給装置と複数の負荷との間に、当該直流電流を分配する電流分配装置が設けられる。
【０００３】
電流分配装置には、短絡などの異常電流が発生した際に，電流を遮断し，速やかに回路を開放するために、保護用装置として系統保護用遮断器が設けられることが多い。
【０００４】
図３は、上述のような系統保護用遮断器が複数設けられた電流分配装置を含む給電系統において各系統保護用遮断器からの警報を伝達する警報システムを表す図である。
【０００５】
図３の警報システムは、図示しない商用電源に接続された整流装置１０と、この整流装置１０からの直流電流を複数ｎの各負荷装置（例えば電子機器）４０−１〜４０−ｎに分配する電流分配装置１１とを備えている。各負荷装置には、電流分配装置１１で分岐された複数の給電路を通して給電される。
【０００６】
尚、説明の便宜上、図３を参照しての説明ではｎ＝３である場合を想定している。
【０００７】
即ち、電流分配装置１１は、整流装置１０から出力された電流を分岐し、分岐されたそれぞれの電流を、給電路を構成するケーブルやバスバー（板状の導体）等の電流媒体を介して負荷装置４０−１〜ｎへ供給する。
【０００８】
電流分配装置１１には、これらの電流媒体に対応して複数の系統保護用遮断器２０−１〜２０−ｎが設けられている。また、系統保護用遮断器２０−１〜２０−ｎからは警報の信号を伝送する各対応する信号線３０−１〜３０−ｎが導出され警報集約装置５０に接続されている。
【０００９】
ここで、上述の複数の負荷装置４０−１〜４０−ｎのうち、負荷装置４０−１に短絡事故や地絡事故が発生した場合、電流分配装置１１内の系統保護用遮断器２０−１が速やかに電流を遮断するため、短絡系統は他系統から切り離される。同時に系統保護用遮断器２０−１から警報が出力され、信号線３０−１を通して警報集約装置５０に信号が伝送される。
【００１０】
系統保護用遮断器２０−１〜２０−ｎが一般的な警報機能付きの製品である場合、これらの各系統保護用遮断器から個別に警報信号を受け取るためには、各系統保護用遮断器から個別に信号線を引き出す必要がある。従って、警報集約装置との接続は非常に煩雑になる。
【００１１】
また、この複雑さ故に、接続に人為的な誤りが生じる虞もあるが、そのような場合には，誤った警報が出力されてしまう。このため配線の誤りは深刻な事態を招来することになる。即ち、監視室のフロア内で数百超の規模となる出力系統を監視するような場合には、短絡事故や地絡事故が発生した系統を判別することが極めて困難となる。
【００１２】
このような煩雑さを避けるために、系統保護用遮断器の警報出力を信号線で直列に接続し（時系列的に伝送し）、簡素な構造で警報出力を得る方法が多くの電流分配装置で既に採用されている。しかしながら、このような方法を適用した場合には、系統保護用遮断器からの警報出力を個別に判断することはできない。従って、監視要員（作業員）が現場に行って、系統毎に事故の発生状況を個別に確認する必要があった。
【先行技術文献】
【非特許文献】
【００１３】
【非特許文献１】株式会社電巧社  カタログ“配電制御機器” [online]［平成２２年５月１５日検索］、インターネット  ＜ＵＲＬ  ：  http://www.de-denkosha.co.jp/product_05_12.htm＞
【発明の概要】
【発明が解決しようとする課題】
【００１４】
上述のような警報線を直列に接続する方法は、構造が簡易で施工ミスのリスクも大変低いという点では優れている。しかしながら、複数の系統保護用遮断器等の保護用装置についてその作動（系統保護用遮断器であれば開放）の有無を識別することができず、作業員が直接現場に行き系統毎に事故の発生状況を確認する必要があった。このような確認作業は多大な時間と労力を要すものであり、作業員の負担が極めて大きなものとなっていた。
【００１５】
本発明は、上述のような状況に鑑みてなされたものであり、構成が簡素で、且つ、作業員による現場での確認作業を俟たずに作動した保護用装置を確実に識別可能な警報システムを提供することをその目的とする。
【課題を解決するための手段】
【００１６】
上記課題を解決するために、以下のような技術を提案する。尚、本明細書においては、パルス列乃至パルス列信号の語は、特定の情報を担うパルス信号が単一のパルスによって構成される場合をも包摂するものとする。
【００１７】
（１）各個の保護用装置を特定する保護用装置識別パルスと当該保護用装置の状態を表す状態特定パルスとを含むパルス列信号を発信するパルス列信号発信手段を備えた複数の保護用装置と、前記パルス列信号発信手段からのパルス列信号を受信して該受信したパルス列信号を発信した保護用装置を特定し且つ該保護用装置の状態を識別する警報集約装置と、前記複数の保護用装置における各パルス列信号発信手段から発せられるパルス列信号を前記警報集約装置に伝送する単一のパルス伝送路と、を含んで構成されていることを特徴とする警報システム。
【００１８】
上記（１）の警報システムでは、その複数の各保護用装置が、各個の保護用装置を特定する保護用装置識別パルスと当該保護用装置の状態を表す状態特定パルスとを含むパルス列信号を発信するパルス列信号発信手段を備えている。そして、その警報集約装置が、前記パルス列信号発信手段からのパルス列信号を受信して該受信したパルス列信号を発信した保護用装置を特定し且つ該保護用装置の状態を識別する。更に、その単一のパルス伝送路で、前記複数の保護用装置における各パルス列信号発信手段から発せられるパルス列信号を前記警報集約装置に伝送する。
【００１９】
（２）前記複数の保護用装置における各パルス列信号発信手段は、自装置を特定するＩＤ番号を表す保護用装置識別パルスとしての第１パルス列と、前記状態特定パルスの一部を構成して該当する警報の種別を表す第２パルス列と、前記状態特定パルスの他部を構成して自装置の現在の状態を表す第３パルス列と、自装置の状態の履歴を表す第４パルス列と、自装置に係る温度を表す第５パルス列とを含む前記パルス列信号を発信するように構成されていることを特徴とする（１）の警報システム。
【００２０】
上記（２）の警報システムでは、（１）の警報システムにおいて特に、前記複数の保護用装置における各パルス列信号発信手段は、保護用装置識別パルスとしての第１パルス列と、前記状態特定パルスの一部を構成する第２パルス列と、前記状態特定パルスの他部を構成する第３パルス列と、自装置の状態の履歴を表す第４パルス列と、自装置に係る温度を表す第５パルス列とを含む前記パルス列信号を発信するように構成されている。そして、該第１パルス列は自装置を特定するＩＤ番号を表し、該第２パルス列は該当する警報の種別を表し、該第３パルス列は自装置の現在の状態を表す。また、該第４パルス列は自装置の状態の履歴を表す。更に、該第５パルス列は自装置に係る温度を表す。
【００２１】
（３）前記複数の保護用装置における各パルス列信号発信手段は、前記保護用装置識別パルスを電気的接点の開閉によって生成する接点パルス生成手段を備えていることを特徴とする（１）または（２）の警報システム。
【００２２】
上記（３）の警報システムは、（２）の警報システムにおいて特に、前記複数の保護用装置における各パルス列信号発信手段は、接点パルス生成手段を備えており、当該各接点パルス生成手段は、前記保護用装置識別パルスを電気的接点の開閉による接点パルスとして生成する。
【発明の効果】
【００２３】
本発明によれば、構成が簡素で、且つ、作業員による現場での確認作業を俟たずに作動した保護用装置を確実に識別可能な警報システムを実現することができる。
【図面の簡単な説明】
【００２４】
【図１】本発明の警報システムを含む給電系統を表す図である。
【図２】図１の警報システムにおけるパルス列信号のパルスフォーマットを例示する図である。
【図３】従来の警報システムを含む給電系統を表す図である。
【発明を実施するための形態】
【００２５】
次に、図面を参照して本発明の実施の形態について詳述することにより、本発明を明らかにする。
【００２６】
図１は、本発明の一つの実施の形態としての警報システムを含む給電系統を表す図である
図１の給電系統は、整流装置１０、電流分配装置１１、および、電流分配装置１１から電子機器４０−１〜４０−ｎに給電する各個の給電路を備えている。尚、電子機器４０−１〜４０−ｎは例えば、情報処理装置や通信装置である。また、説明の便宜上、図１を参照しての説明ではｎ＝３である場合を想定している。
【００２７】
図１の給電系統には、次のような警報システムが備えられている。
【００２８】
即ち、この警報システムは、電流分配装置１１内に給電系統毎に設けられた複数の保護用装置としての各系統保護用遮断器１２−１〜１２−ｎと、これらの系統保護用遮断器１２−１〜１２−ｎ毎に設けられたパルス列信号発信手段１４−１〜１４−ｎから発信される各パルス列信号を受信する警報集約装置１５と、パルス列信号発信手段１４−１〜１４−ｎからの各パルス列信号を警報集約装置１５に伝送する単一のパルス伝送路１３と、を含んで構成されている。
【００２９】
各パルス列信号発信手段１４−１〜１４−ｎは、従来の地気信号系統を利用するために、電子的なビット列を送出可能なパルス発信器によって構成される。尚、地気を利用しない場合は、例えば、ＲＦ−ＩＤやＺｉｇＢｅｅ（登録商標）等の近距離無線やＰＬＣ（電力線通信）を利用してもよい。
【００３０】
そして、上述の各パルス列信号発信手段１４−１〜１４−ｎからの出力信号を直列（時系列的）にパルス伝送路１３を通して警報集約装置１５へ送る。
【００３１】
警報集約装置１５は、受信したパルス列信号について、後に詳述する警報パルスとＩＤとを認識することによってどの系統保護用遮断器が警報を送出しているかを特定して認識し、この結果を作業者に、例えば、ディスプレイによる表示や音声による発報として報知する。
【００３２】
次に、図２を参照して、パルス列信号について、その形態、その生成と伝送、その受信と内容の認識等につき、更に詳述する。
【００３３】
図２（ａ）は、図１の警報システムにおけるパルス列信号のパルスフォーマットの一例を表す図である。また、図２（ｂ）は、図１の警報システムにおけるパルス列信号のパルスフォーマットの他の例を表す図である。
【００３４】
先ず、図２（ａ）に表された一つのパルス列信号は、この一つのパルス列信号に対応する単位時間区間において、当該時間区間の先頭位置を占める第１パルス列（図示の例では先行するＨ状態のパルスと後続する破線図示のＬ状態のパルス）と、この第１パルス列以降、順次時系列に、第２、第３、第４、および、第５の各パルス列を含んで構成される。これらパルス列はそれぞれ次のような情報を担う各固有のパルス列である。
【００３５】
即ち、第１パルス列２−１は、自装置（本例では系統保護用遮断器である保護用装置）を特定するＩＤ番号を表すパルス列である保護用装置識別パルスである。
【００３６】
また、第２パルス列２−２は、該当する警報の種別を表している。この警報の種別には、例えば、短絡、過電流、および、手動（手動操作に切替えられた状態）等が含まれる。
【００３７】
更に、第３パルス列２−３は、自装置の現在の状態を表している。現在の状態とは、例えば、短絡状態や開放状態等の状態である。
【００３８】
更にまた、第４パルス列２−４は、自装置の状態の履歴を表している。この履歴とは、例えば、過去における遮断等の保護用装置としての作動の発生回数や劣化状況に関する履歴である。
【００３９】
また、第５パルス列２−５は、自装置に係る温度を表している。
【００４０】
次に、図２（ｂ）に表された他の例におけるパルス列信号は、警報の種別を意味する固有のパルス列（Ａ）と、本例では系統保護用遮断器である保護用装置を特定するＩＤ番号を表す固有のパルス列（Ｂ）とを含んで構成される。図示のように、この一つのパルス列信号に対応する単位時間区間において、パルス列（Ａ）は、当該時間区間においてパルス列（Ｂ）よりも時間的に先行する位置を占める。そして、パルス列（Ａ）は、パルス列（Ｂ）の到来を認識するためプリアンブル機能を有し、パルス列（Ａ）の終端の認識をもってパルス列（Ｂ）の判読を開始する契機とし得るように構成されている。従って、先ずパルス列（Ａ）に基づいて警報の発生とその種別が認識され、次いで、パルス列（Ｂ）に基づいてこの警報に該当する系統保護用遮断器が特定される。
【００４１】
図２（ａ）および図２（ｂ）に表されたようなパルス列信号は、例えば、電気的接点の開閉による、所謂接点パルスとして簡単で信頼性の高いものとして生成され得る。
【００４２】
図１を参照して既述のとおり、各系統保護用遮断器１２−１〜１２−ｎ毎に設けられたパルス列信号発信手段１４−１〜１４−ｎから発信される各パルス列信号は、単一のパルス伝送路１３を通して警報集約装置１５に伝送され、この警報集約装置１５においてパルス列信号を受信し、受信されたパルス列信号が担っている上述のような情報の意味が解読される。
【００４３】
図２（ａ）および図２（ｂ）に例示されるようなパルス列信号は、例えば次のようにして生成され、伝送される。
【００４４】
即ち、各遮断装置１２−１〜１２−ｎは、短絡事故、地絡事故等が発生した系統について遮断動作を行う。この遮断動作の検知は短絡電流が所定の設定値を超えたことを電流センサで検知するなど、適宜の手法で可能である。
【００４５】
このように遮断動作の検知によって発せられる遮断動作検知信号がパルス列信号発信手段１４−１〜１４−ｎにおける図示しないパルス発生器に到達すると、パルス発生器は、警報を意味する固有のパルス列である、図２（ａ）を参照して既述の第２パルス列２−２、或いは、図２（ｂ）を参照して既述のパルス列（Ａ）を生成し、単一のパルス伝送路１３を通して警報集約装置１５に伝送する。
【００４６】
この場合、図２（ａ）の例では、第２パルス列２−２の生成と伝送に先立って、系統保護用遮断器を特定するＩＤ番号を表すパルス列である保護用装置識別パルスである第１パルス列２−１が生成されて伝送され、次いで上述の第２パルス列２−２が生成されて伝送される。、
一方、図２（ｂ）の例では、先ず警報の種別を意味する固有のパルス列（Ａ）が生成されて伝送され、次いで上述のようにこの警報に該当する系統保護用遮断器を特定するパルス列（Ｂ）が生成されて伝送される。
【００４７】
単一のパルス伝送路１３を通して上述のパルス列信号を受けた警報集約装置１５では、予め準備された系統保護用遮断器を特定するＩＤ番号、および、警報の種別コード、更には図２（ａ）の例における第３乃至第５パルス列に対応するコードを管理テーブルに保有している。従って、警報集約装置１５では、この管理テーブルとの照合によって警報を発した系統保護用遮断器（即ち、保護用装置）を特定し、警報の種別等を認識することができる。
【００４８】
以上のような態様を採ることによって、本発明では、パルス列信号の形態を種々選択することにより多岐にわたる情報を付加して特定の保護用装置（図示の例では系統保護用遮断器）からの情報を送信することが可能となる。また、瞬時にＭＣＣＢ（系統保護用遮断器）及び配下の装置の状態が把握できる。従って、作業の迅速化、効率化が図られる。
【符号の説明】
【００４９】
１０……………………………………整流装置
１１……………………………………電流分配装置
１２−１〜１２−ｎ…………………系統保護用遮断器（保護用装置）
１３……………………………………パルス伝送路
１４−１〜１４−ｎ…………………パルス列信号発信手段
１５、５０……………………………警報集約装置
２０−１〜２０−ｎ…………………系統保護用遮断器（保護用装置）
３０−１〜３０−ｎ…………………信号線
４０−１〜４０−ｎ…………………負荷装置
【図１】
2011259604.tif 000003
【図２】
2011259604.tif 000004
【図３】
2011259604.tif 000005